【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
生物防汚システムにおける使用のための層スタックであって、前記層スタックが第１のシリコーン層を備え、前記第１のシリコーン層が、前記第１のシリコーン層の厚さを規定する第１の表面と第２の表面とを含み、前記第１のシリコーン層が、２００〜３８０ｎｍの範囲から選択された１つ又は複数の波長を含むＵＶ放射光に対して透過性であり、前記層スタックが、
前記第１の表面の第１の側に構成された第１の層要素であって、前記第１の層要素が、直接的に、又は、前記ＵＶ放射光に対して透過性である第１の中間層を介して、前記第１の表面と化学結合により結び付けられ、前記第１の層要素が、前記第１のシリコーン層と組成において異なる第１の層を少なくとも備え、前記第１の層要素が、前記ＵＶ放射光に対して透過性である、第１の層要素と、
前記第２の表面の第２の側に構成された第２の層要素であって、前記第２の層要素が、直接的に、又は第２の中間層を介して、前記第２の表面と化学結合により結び付けられ、前記第２の層要素が、前記第１のシリコーン層と組成において異なる第２の層を少なくとも備える、第２の層要素と、
のうちの１つ又は複数をさらに備える、
層スタック。
【請求項２】
前記第１の層要素が、フッ素化エチレン、フッ素化プロピレン、フッ素化エチレンプロピレン、及びフッ素化プロピレンアセテートのうちの１つ又は複数を含むポリマー層を備え、
前記第２の層要素が、前記第１のシリコーン層の屈折率より低い屈折率をもち、且つ、フッ素重合体を含む、ポリマー層を備える、
請求項１に記載の層スタック。
【請求項３】
前記第２の層要素を少なくとも備え、前記第２の層要素が、（ａ）ＵＶ放射光に対して反射性であることと、（ｂ）物体に前記層スタックを接着するために接着性であることと、（ｃ）前記層スタックを補強することと、（ｄ）前記第１のシリコーン層に対して保護作用のあることとからなる群から選択された１つ又は複数の機能をもつ、
請求項１又は請求項２に記載の層スタック。
【請求項４】
前記第２の層要素が、（ｉ）アルミニウム層と、（ｉｉ）粒子状反射材料を備えるシリコーン層と、（ｉｉｉ）粒子状反射材料を備えるポリマー層とのうちの１つ又は複数をさらに備える、
請求項１から請求項３のいずれか一項に記載の層スタック。
【請求項５】
前記第２の層要素が、（ａ）中に埋設された粒子状反射材料を含むシロキサンと、（ｂ）中に埋設された粒子状反射材料を含むポリマー材料とのうちの１つ又は複数を備える層を備え、前記ポリマー材料が、フッ素重合体を含み、前記粒子状反射材料が、窒化ホウ素を含む、
請求項１から請求項４のいずれか一項に記載の層スタック。
【請求項６】
前記第２の層要素が、少なくとも１００ｎｍの範囲から選択された厚さをもつアルミニウム層を備える、
請求項１から請求項５のいずれか一項に記載の層スタック。
【請求項７】
前記層スタックが、前記第１の層要素を少なくとも備え、前記第１の層要素が、（ａ）ＵＶ放射光に対して部分的に反射性であることと、（ｂ）前記層スタックを補強することと、（ｃ）前記第１のシリコーン層に対して保護作用のあることとからなる群から選択された１つ又は複数の機能をもつ、
請求項１から請求項６のいずれか一項に記載の層スタック。
【請求項８】
前記第１の層要素が、（ｉ）５〜２０ｎｍの範囲から選択された厚さをもつアルミニウム層と、（ｉｉ）シリコーン層とのうちの１つ又は複数をさらに備える、
請求項１から請求項７のいずれか一項に記載の層スタック。
【請求項９】
前記化学結合が、アミド結合、エステル結合、エーテル結合、及びＳｉ−Ｏ−Ａｌ結合のうちの１つ又は複数を含む、
請求項１から請求項８のいずれか一項に記載の層スタック。
【請求項１０】
前記第１の中間層と前記第２の中間層とのうちの１つ又は複数が、前記第１のシリコーン層と異なる組成をもつシリコーン層を備える、
請求項１から請求項９のいずれか一項に記載の層スタック。
【請求項１１】
前記第１の層要素が、フッ素重合体を含むポリマー層を備え、前記第２の層要素が、アルミニウム層及びポリマー層のうちの１つ又は複数を備える、
請求項１から請求項１０のいずれか一項に記載の層スタック。
【請求項１２】
前記第２の層要素が、（ｉ）フッ素重合体を含むポリマー層と、（ｉｉ）アルミニウム層と、（ｉｉｉ）ポリマー層とのスタックを備える、
請求項１１に記載の層スタック。
【請求項１３】
ＵＶ放射光を提供するための、前記第１のシリコーン層に埋設された１つ又は複数のソリッドステート光源をさらに備える、
請求項１から請求項１２のいずれか一項に記載の層スタック。
【請求項１４】
請求項１から請求項１２のいずれか一項に記載の層スタックと、前記層スタックにＵＶ放射光を提供するためのＵＶ光源とを備える、
生物防汚システム。
【請求項１５】
表面を備える物体であって、請求項１から請求項１３のいずれか一項に記載の層スタックが、前記表面の少なくとも一部に付着させられた、
物体。
【請求項１６】
使用中に水中に少なくとも部分的に沈められる、
請求項１５に記載の物体。
【請求項１７】
（ａ）直接的に、又は第１の中間層を介して、第１のシリコーン層の第１の表面と第１の層要素とを化学結合させることにより結び付けるステップと、
（ｂ）直接的に、又は第２の中間層を介して、前記第１のシリコーン層の第２の表面と第２の層要素とを化学結合させることにより結び付けるステップと
のうちの１つ又は複数により、（ｉ）前記第１のシリコーン層と、（ｉｉ）前記第１の層要素及び前記第２の層要素のうちの１つ又は複数とを結合させるステップを有する、
層スタックを提供する方法。
【請求項１８】
前記第１の層要素が、フッ素化エチレン、フッ素化プロピレン、フッ素化エチレンプロピレン、及びフッ素化プロピレンアセテートのうちの１つ又は複数を含むポリマー層を備え、
前記第２の層要素が、前記第１のシリコーン層の屈折率より低い屈折率をもち、且つ、フッ素重合体を含む、ポリマー層を備える、
請求項１７に記載の方法。
【請求項１９】
少なくとも２つの官能基化された材料間に前記結合を提供するステップを有し、前記少なくとも２つの官能基化された材料のうちの１つ又は複数が、官能基により官能基化された前記第１の表面、及び／又は、官能基により官能基化された前記第２の表面により提供され、前記官能基が、アミド結合、エステル結合、エーテル結合、及びＳｉ−Ｏ−Ａｌ結合のうちの１つ又は複数を含む化学結合を形成するための、−ＯＨ基、−ＣＯＯＨ基、−ＮＨ２基、及び−Ｓｉ−Ｈ基からなる群から選択された１つ又は複数を含む、
請求項１７に記載の方法。
【請求項２０】
１つ又は複数のソリッドステート光源が、前記第１のシリコーン層に埋設され、物体の表面の少なくとも一部に前記層スタックを提供するステップをさらに有する、
請求項１７から請求項１９のいずれか一項に記載の方法。
【請求項２１】
ＥＤＣ−ＮＨＳ補助反応を介して前記化学結合を生成するステップを有する、
請求項１７から請求項２０のいずれか一項に記載の方法。
【請求項２２】
官能基化アルミニウムコーティングを備えるポリマー層に、完全には硬化していないシリコーン層を接触させるステップを有し、前記方法が、プライマーにより補助された反応を介してＡｌ−Ｏ−Ｓｉ化学結合を生成するステップをさらに有し、前記プライマーが、（Ｒ１）（Ｒ２）（Ｒ３）Ｍからなる群から選択され、Ｒ１、Ｒ２及びＲ３の各々が、独立してアルコキシル基であり、Ｍが、Ａｌを含む、
請求項１７から請求項２１のいずれか一項に記載の方法。
【請求項２３】
前記プライマーが、Ａｌ［ＯＣＨ（ＣＨ３）Ｃ２Ｈ５］３及びＡｌ［ＯＣ（ＣＨ３）３］３のうちの１つ又は複数を含む、
請求項２２に記載の方法。
【請求項２４】
生物防汚システムとしてＵＶ放射光を提供するためのＵＶ光源と組み合わされる請求項１から請求項１２のいずれか一項に記載のスタック層の使用。